(57)【要約】【課題】  競技者のローテーションが行われる球技において、このローテーションが正しく行われているかのチェックについて、審判等の人間の記憶に頼ることなく、単一的な操作で常にローテーションを把握することのできる新規な競技者のローテーションインジケータを提供する。【解決手段】  球Ｂのサーブを行うことのできるサービス権が移った際に、各自のポジション位置を交替する球技における、各自のポジション位置を把握する機器において、この機器は前記サービス権が移った際に操作するサービス権チェンジ操作部４と、このサービス権チェンジ操作部４の操作により各競技者のポジション位置が定まったローテーション通りに変更されて表示される回転表示板３Ｒ、３Ｌ等の表示部とを具えていることを特徴とする。【選択図】図１
2005143996.tif 000002
【特許請求の範囲】
【請求項１】
２チームがネットを挟んで球の打ち合いをし、球のサーブを行うことのできるサービス権が移った際に各自のポジション位置を交替する球技における各自のポジション位置を把握する機器において、この機器は前記サービス権が移った際に操作するサービス権チェンジ操作部と、このサービス権チェンジ操作部の操作により各競技者のポジション位置が定まったローテーション通りに変更されて表示される表示部とを具えていることを特徴とする競技者のローテーションインジケータ。
【請求項２】
前記サービス権チェンジ操作部の操作により各競技者のポジション位置を変更して表示するにあたっては、前記表示部として競技者の背番号等の識別記号または名前が各ポジション位置に記される二つの回転表示板を適用し、これら回転表示板を機器本体に回転自在に軸着し、一方前記機器本体には、前記サービス権チェンジ操作部の操作により前記回転表示板に間接または直接的に当接してこれを現実のローテーション通りに所定角度回転させるシフト機構が設けられていることを特徴とする請求項１記載の競技者のローテーションインジケータ。
【請求項３】
前記シフト機構は、前記回転表示板と同軸状態に設けられるつめ車と、前記サービス権チェンジスイッチを支持して前記二つのつめ車の間をスライドするスライダと、このスライダに設けられ前記つめ車の歯に当接して所定角度回転させる回転送りつめと、前記機器本体に設けられ、前記つめ車の回転が所定角度で停止するようにつめ車の歯に当接する係止つめとを具えて成ることを特徴とする請求項２記載の競技者のローテーションインジケータ。
【請求項４】
前記機器本体表面には、前記サービス権チェンジ操作部の操作によりサービス権がどちらのチームにあるかを機器本体表面上を移動して表すサービス権表示体が設けられていることを特徴とする請求項１、２または３記載の競技者のローテーションインジケータ。
【請求項５】
前記サービス権表示体は、前記スライダに対し、間接または直接に固定して設けられ、スライダとともにスライド移動して、その位置によりサービス権がどちらのチームにあるか表示するものであることを特徴とする請求項４記載の競技者のローテーションインジケータ。
【発明の詳細な説明】
【技術分野】
【０００１】
本発明はインディアカ競技のように競技者のローテーションが行われる球技において、ローテーションが正しく行われているかのチェックを行うための審判器具に関するものである。
【背景技術】
【０００２】
従来からバレーボールによく似たルールのインディアカ競技が普及をみており、この競技は、４人対４人でコートを挟み球を打ち合い、相手コートの地表に球を落下させて得点を競う。具体的には得点は、サービス権を持っているチームが得ることができるものであり、例えば球を打ち込んで相手のコートの地表に触れさせても、サービス権を得ていないチームは得点とならず、サービス権が移動するのみである。そしてこのサービス権が移動した時にサービス権を得たチームのローテーションが行われるものであり、サービス権を得たチームは、直ちに時計の針と同じ方向へ、各競技者の位置を一つずつ移動する。またサービスが行われ、インプレーの状態になるまで、両チームの競技者は、ローテーションオーダー通りの位置にいなければならない。
【０００３】
ところで上記ローテーションがしばしば問題となることがある。すなわちサービスが打たれた後は、インゲームとなり、各競技者のポジションはローテーション位置にいる必要はなくなる。こうなるとサービス権が移動してローテーションを行う際に自分のローテーション位置がわからなくなったり、うっかりローテーションとは異なった者がサーブを行ってしまうようなことが生じる。また故意に誤ったローテーションを行う反則（ポジショナルフォールトまたはアウトオブポジションと呼ばれる）を侵すこともあり得る。
一方審判等も競技者のタッチネット、オーバーネット、コートアウト、オーバータイムズ、ドリブル、ホールディング、アウトオブバウンズ、インターフェア等の多数の競技違反を監視することに集中しているため、各チームのローテーション違反を見逃してしまうことがある。
【０００４】
なお上述したような問題は、インディアカ競技に限られず、その他六人制バレーボールのように、２チームがネットを挟んで球の打ち合いをし、サービス権が移った際に各自のポジション位置を交替することを要求される球技に共通して存在する。
なおスポーツ競技において審判の審判作業を補佐する従来の用具としては、例えば野球のアンパイヤが用いるストライク、ボール、アウトの数を計測するカウントインジケータが知られているところである。
【発明の開示】
【発明が解決しようとする課題】
【０００５】
本発明はこのような背景からなされたものであって、競技者のローテーションが行われる球技において、ローテーションが正しく行われているかの判断を審判等の人の記憶に頼っていたものを、機械的手段によってチェックすることにより競技が公正正確に行われるとともに審判の負担を軽減するという目的を、複雑な操作を必要とせずに誰にでもできる単一的な操作により正確にチェックでき、審判上の紛争等を避けることを可能とする新規な競技者のローテーションインジケータの開発を試みたものである。
【課題を解決するための手段】
【０００６】
すなわち請求項１記載の競技者のローテーションインジケータは、２チームがネットを挟んで球の打ち合いをし、球のサーブを行うことのできるサービス権が移った際に各自のポジション位置を交替する球技における各自のポジション位置を把握する機器において、この機器は前記サービス権が移った際に操作するサービス権チェンジ操作部と、このサービス権チェンジ操作部の操作により各競技者のポジション位置が定まったローテーション通りに変更されて表示される表示部とを具えていることを特徴として成るものである。
【０００７】
また請求項２記載の競技者のローテーションインジケータは、前記請求項１記載の要件に加え、前記サービス権チェンジ操作部の操作により各競技者のポジション位置を変更して表示するにあたっては、前記表示部として競技者の背番号等の識別記号または名前が各ポジション位置に記される二つの回転表示板を適用し、これら回転表示板を機器本体に回転自在に軸着し、一方前記機器本体には、前記サービス権チェンジ操作部の操作により前記回転表示板に間接または直接的に当接してこれを現実のローテーション通りに所定角度回転させるシフト機構が設けられていることを特徴として成るものである。
【０００８】
更に請求項３記載の競技者のローテーションインジケータは、前記請求項２記載の要件に加え、前記シフト機構は、前記回転表示板と同軸状態に設けられるつめ車と、前記サービス権チェンジスイッチを支持して前記二つのつめ車の間をスライドするスライダと、このスライダに設けられ前記つめ車の歯に当接して所定角度回転させる回転送りつめと、前記機器本体に設けられ、前記つめ車の回転が所定角度で停止するようにつめ車の歯に当接する係止つめとを具えて成ることを特徴として成るものである。
【０００９】
更にまた請求項４記載の競技者のローテーションインジケータは、前記請求項１、２または３記載の要件に加え、前記機器本体表面には、前記サービス権チェンジ操作部の操作によりサービス権がどちらのチームにあるかを機器本体表面上を移動して表すサービス権表示体が設けられていることを特徴として成るものである。
【００１０】
更にまた請求項５記載の競技者のローテーションインジケータは、前記請求項４記載の要件に加え、前記サービス権表示体は、前記スライダに対し、間接または直接に固定して設けられ、スライダとともにスライド移動して、その位置によりサービス権がどちらのチームにあるか表示するものであることを特徴として成るものである。
【発明の効果】
【００１１】
本発明のローテーションインジケータは、上述した手段により以下のような効果を奏するものである。
すなわち請求項１記載の競技者のローテーションインジケータによれば、競技者のローテーションが行われる球技において、ローテーションが正しく行われているか否かのチェックが、審判等の記憶に頼らず、機器を用いて行われるため、公正で正確なチェックが行われ、無用の紛争も避けられる。また審判の負担が著しく軽減され、他の反則チェックに集中ができる。またバレーボールにおいては、後衛の選手はアタックゾーン内でネットの上端より高い位置のボールを相手コートに返したらポジショナルフォールト（アウトオブポジション）の反則となるが、このようなその他の種々のポジショナルフォールトのチェックにも本発明のローテーションインジケータは最適であり、反則に対する指導が明瞭に行うことができるようになる。
【００１２】
また請求項２記載の競技者のローテーションインジケータによれば、マイクロコンピュータ等を搭載した電子機器で構成する場合に比べ、操作方法がわかりやすく、また耐衝撃性や耐防水性にも優れ、更に試合中に電池切れとなるような虞もない。
【００１３】
更に請求項３記載の競技者のローテーションインジケータによれば、シンプルな構造で故障が生じにくく、製造コストも抑えることができる。また破損等の故障でなければ、使用者がその場ですぐに修理することも可能である。
【００１４】
更にまた請求項４記載の競技者のローテーションインジケータによれば、サービス権表示体が設けられているため、サービス権チェンジ操作部の操作を忘れたような場合、すぐに気がつくとともに、サービス権がどちらのチームにあるか常に手元において確認できる。
【００１５】
更にまた請求項５記載の競技者のローテーションインジケータによれば、スライダを動かすという単一の操作により、前記回転表示板の回転と、サービス権表示体の移動の２つの動作が行われ、構成に無駄がなく、操作のし忘れが生じにくく、使い勝手がよい。
【発明を実施するための最良の形態】
【００１６】
本発明の最良の形態は、具体的には以下の実施例の記述及び図面の記載に示す通りである。
【実施例１】
【００１７】
以下本発明を図示の実施の形態に基づき説明する。なお以下の説明にあたっては、本発明の競技者のローテーションインジケータを、インディアカ競技に使用する場合を例にとり説明する。まずインディアカ競技の概略について説明すると、四人対四人でネットＮを挟んで偏平球状のものに羽根がついた「インディアカ」と呼ばれる球Ｂを素手で打ち合い相手のコートの地表に触れさせて得点を競い合うもので、バレーボールによく似たルールの競技である。
両チームの競技者Ｐは、サービスによって、インプレーの状態になるまで、ローテーションオーダーに示された位置にいなければならない。そして具体的に得点はサービス権を持っているチームが得ることができるものであり、例えば球Ｂを打ち込んで相手のコートの地表に触れさせても、サービス権を所有していないチームは得点とならず、サービス権を取得するのみである。そしてこのサービス権を取得した時にそのサービス権を得た側のチームのローテーションが行われるものであり、サービス権を得たチームは、直ちに時計の針と同じ方向へ、各競技者Ｐの位置を一つずつ移動する。
そして本発明に係るローテーションインジケータ１は、このローテーションが試合を通して正しく行われるように確認するためのものであり、例えば審判Ｊが保持して使用するものである。具体的にはローテーションインジケータ１を副審Ｊ２が保持して使用するが、練習時等で副審Ｊ２まではいないような場合などには主審Ｊ１が保持して使用するようにしても構わない。もちろん各チームが審判Ｊとは別に本発明に係るローテーションインジケータ１を購入するなどして控え選手等が確認を取り、適宜ポジションに関して支持を与えるようにしてもよい。
【００１８】
以下、本発明に係るローテーションインジケータ１の具体的構成について説明する。ローテーションインジケータ１は、インディアカ競技のコートを模して矩形平板状に形成された機器本体２と、この機器本体２の表面側に回転自在に支持され競技者Ｐを表す個人識別表示体３１が貼設される回転表示板３と、サービス権が移動する場合に操作を行うサービス権チェンジ操作部４と、サービス権がどちらのチームにあるかを示すサービス権表示体５と、前記サービス権チェンジ操作部４の操作を前記回転表示板３に伝達して現実のローテーション通りに一定角度回動させるとともに前記サービス権表示体５の位置を相手チーム位置に移動させるシフト機構６とを具えて成る。
【００１９】
まず機器本体２について説明する。このものは全体としてインディアカ競技のコートを模して矩形平板状に形成されており、矩形状の枠体２０と、この枠体２０の表面側にネジ２３により張設される矩形状平板の表面板２１と、枠体２０の背面側にネジ２３により張設される矩形状平板の背面板２２とから成る。表面板２１にはインディアカ競技のコートを模してセンターラインＬ１、サイドラインＬ２、エンドラインＬ３が引かれている。なおこれらラインＬは印刷したり、ラインＬを模したテープを貼設して設けられる。表面板２１の上方中央部には、前記サービス権表示体５の支持ロッド６１を挿入して横方向に移動するためのスライド長孔２１ａが穿孔されている。また背面板２２の中央部にもサービス権チェンジ操作部４が突出し且つを挿入して横方向に移動することを許容するためのスライド長孔２２ａが穿孔されている。なお背面板２２は、シフト機構６の様子が見えるように一例として透明プラスチック板が用いられており、因みにこのようにシフト機構６の様子が見えるように構成した場合、故障について早期に発見ができると共に表示に疑義が出されたとき、公正であることを納得させ得る。なおこの背面板２２の他、枠体２０及び表面板２１についても本実施例ではプラスチックで形成されるものであるが、金属、木、ガラス等の他の種々の材料で構成することが可能である。
【００２０】
次に回転表示板３について説明する。回転表示板３は、プラスチックで形成された円形平板であり、前記機器本体２の表面板２１上のセンターラインＬ１を間として対向的に、二枚の回転表示板３Ｒ、３Ｌが回転軸３２により回転自在に設けられている。なお以下の説明において二枚の回転表示板３Ｒ、３Ｌのうち、どちらかの回転表示板３Ｒ、３Ｌかを指すときには「３Ｒ、３Ｌ」の符号を用い、特に区別して説明しない場合には、「３」の符号を用いて説明する。  回転表示板３の表面には、十字状のポジションライン３０が記され、回転表示板３上を四つのエリアに区分しており、それぞれのエリアに一例として競技者Ｐの背番号に相当する番号が記載された粘着シール体等から成る個人識別表示体３１が貼設されている。なお個人識別表示体３１としては、選手交替等を考慮して付け替え自在のものが好ましく、上述したような粘着シール体の他、回転表示板３の少なくとも表面を鉄板等で構成し、マグネットシート体を磁力により貼り付けるようにしてもよい。また更に回転表示板３に繰り返し消して書くことが可能なホワイトボードを適用し、これに適合したホワイトボード用のインキペンを用いて記載するようにしてもよい。
【００２１】
次にサービス権チェンジ操作部４について説明する。このものは、後述するシフト機構６のスライダ６０に固定して取り付けられるものである。スライダ６０は矩形ブロック状を成し機器本体２の枠体２０の上下に接して後述するシフト機構６のつめ車６２Ｒ、６２Ｌの間を摺動するものである。このスライダ６０の背面側中央部には、スティック状のサービス権チェンジ操作部４が固定して取り付けられ、これが背面板２２のスライド長孔２２ａを貫通して機器本体２外に張り出している。
【００２２】
次にサービス権表示体５について説明する。このものは前記サービス権チェンジ操作部４の操作に応動して２チームのコート間を移動するものであり、前記スライダ６０の前面側に設けられたシフト機構６の一部である支持ロッド６１の先端に固定して取り付けられる。サービス権表示体５には、一例として「ＳＥＲＶＥ」と記載され、前記スライダ６０に固定して取り付けられ、表面板２１のスライド長孔２１ａを貫通して機器本体２外へ張り出した支持ロッド６１の上部先端に取り付けられている。なおこのサービス権表示体５を持って前記スライダ６０を移動せることも可能であり、すなわちこのサービス権表示体５はサービス権チェンジ操作部４の役割を担うこともできるものであり、このような構成の場合には、機器本体２裏側に設けるサービス権チェンジ操作部４も省略して構成することも可能である。
【００２３】
次にシフト機構６について説明する。シフト機構６は、前述したように前記サービス権チェンジ操作部４の操作を前記回転表示板３Ｒ、３Ｌのいずれかに伝達して現実のローテーション通りに一定角度回動させるとともに前記サービス権表示体５の位置を相手チーム位置に移動させるものである。
具体的には、前記回転表示板３Ｒ、３Ｌの回転軸３２に対し、それぞれ固定して設けられるつめ車６２Ｒ、６２Ｌと、前記サービス権チェンジ操作部４が固定され前記機器本体２の枠体２０の上下に接して後述するつめ車６２Ｒ、６２Ｌの間を摺動するスライダ６０と、このスライダ６０に設けられつめ車６２Ｒ、６２Ｌの歯６２ａに当接して所定角度回転させる回転送りつめ６３Ｒ、６３Ｌと、機器本体２の枠体２０に設けられ、つめ車６２Ｒ、６２Ｌの回転が所定角度で停止するようにする係止つめ６４Ｒ、６４Ｌと、前記スライダ６０の表面側に固定して設けられ先端において前記サービス権表示体５を支持する支持ロッド６１とを具えて成る。
なお以下の説明において上記二つのつめ車６２Ｒ、６２Ｌについて、特にどちらのつめ車６２Ｒ、６２Ｌであるか区別して説明しない場合には、「６２」の符号を用いて説明する。
【００２４】
前記つめ車６２について説明すると、つめ車６２は、回転表示板３の回転軸３２に対し一例としてナット３３により締結され、機器本体２の表面板２１と背面板２２との間に設けられる。つめ車６２には９０°の角度位置ずつに歯６２ａが設けられている。
【００２５】
前記回転送りつめ６３Ｒ、６３Ｌは、スライダ６０の側面に一つずつ設けられるものであり、スライダ６０の片面側には上部に設け、その反対面側には下部に設けられている。そしてそれぞれの送りつめ６３Ｒ、６３Ｌはそれぞれ左右のつめ車６２Ｒ、６２Ｌに張り出して設けられている。一方係止つめ６４Ｒ、６４Ｌは前記機器本体２の枠体２０の内周側端面に設けられるものであり、前記回転送りつめ６３Ｒ、６３Ｌが当接していないつめ車６２の歯６２ａに当接するように張り出している。
【００２６】
本発明に係るローテーションインジケータ１は一例として以上のような構成を有するものであり、以下にこの使用例とそのときにおけるシフト機構６等の作動態様について説明する。
（１）初期設定
まずサービス権を得ているチームのコート側にサービス権チェンジ操作部４をスライド長孔２２ａの端まで位置させる。そしてサービス権チェンジ操作部４をスライドさせることにより、サービス権表示体５はサービス権チェンジ操作部４の取り付けられたスライダ６０とともに、サービス権を得ているチームのコート側に移動する。そしてこの状態において、回転表示板３上に現実の競技者Ｐのローテーションオーダーと一致するように、個人識別表示体３１を十字状のポジションライン３０により四つに区分されたエリアにそれぞれ一枚ずつ貼り付ける。なおこのとき個人識別表示体３１は、それぞれ現実に競技するチームの競技者Ｐの例えば背番号と同一番号のものを貼り付ける。このように個人識別表示体３１を貼り付けた状態では、図２（ａ）等に示されるように現実のインディアカ競技と同様にセンターラインＬ１側を前方として前列に二枚、その後列に二枚配置される。
因みに図示の実施例では、サービス権表示体５を機器本体２の下側に位置するようにした使用例を示しているが、ローテーションインジケータ１を上下逆にして使用しても問題なく使用できる。
【００２７】
（２）インディアカ競技時
次に図３に基づきインディアカ競技時において、サービス権が移った際のローテーションインジケータ１の使用態様について説明する。なお図３（ａ）（ｂ）（ｃ）では、それぞれ左側にローテーションインジケータ１の正面図を記載し、右側にそのときの状態の背面図を記載している。
まず図３（ａ）の状態で、右側の回転表示板３Ｒ側にサービス権が移った場合について説明すると、サービス権の移った右側の回転表示板３Ｒ側にサービス権チェンジ操作部４をつまんでスライド長孔２２ａの端まで移動させる。なお図３は、機械本体２のサービス権が移ったときの様子を三段階で示す正面図と背面図である。サービス権チェンジ操作部４の移動により、サービス権表示体５も、図３（ｂ）（ｃ）に示されるように、サービス権チェンジ操作部４の取り付けられたスライダ６０とともに、サービス権を得た右側の回転表示板３Ｒ側のコートに移動する。
またサービス権を得た側の回転表示板３Ｒは、図３（ｂ）（ｃ）に示されるように、９０度回転し個人識別表示体３１もこれに伴い９０度ずつ位置を移動し、現実の競技者Ｐのローテーション通りに配置される。一方、サービス権を奪われた側の回転表示板３Ｌは、停止したままであり、現実の競技者Ｐのポジションとこちらも一致する。
【００２８】
（３）シフト機構の作動態様
次に図３の背面図に基づき、シフト機構６の作動態様について説明する。サービス権チェンジ操作部４をサービス権を得た回転表示板３Ｒ側のチームにスライドさせると、スライドさせる側に取り付けられた回転送りつめ６３Ｒがその先端に位置しているつめ車６２Ｒの歯６２ａを押し出す（図３（ａ）（ｂ）参照）。そしてこのサービス権チェンジ操作部４のスライド量は、ちょうどつめ車６２Ｒを９０度回転させるストロークに設定されているものであり、つめ車６２Ｒと同軸に取り付けられた回転表示板３Ｒも９０度回転して停止する（図３（ｃ）参照）。なお９０度回転位置に丁度係止つめ６４Ｒが位置されているものであり、係止つめ６４Ｒがこの位置に来たつめ車６２Ｒの歯６２ａを支持してサービス権チェンジ操作部４を操作しない限りは動かないように保持する。なお回転送りつめ６３Ｒも９０度回転させた後は、図３（ｃ）に示されるようにつめ車６２Ｒに当接してつめ車６２Ｒの逆転防止のストッパの役割を果している。
【００２９】
一方、サービス権を奪われたチーム側のつめ車６２Ｌは、図３（ａ）（ｂ）（ｃ）に示されるように係止つめ６４Ｌにより常時歯６２ａを係止された状態であり、スライダ６０とともにつめ車６２Ｌから離れる方向に移動する回転送りつめ６３Ｌは、図示されるようにつめ車６２Ｌの歯６２ａを押すことはないため、つめ車６２Ｌは回転することなく停止した状態のままである。そしてスライダ６０がいっぱいまでスライドした際には、つめ車６２Ｌから回転送りつめ６３Ｌは離れ、つめ車６２Ｌに当接してやや外側に開き加減の姿勢をとっていた回転送りつめ６３Ｌは板ばねの復元作用により中央寄りの位置に復元し、次のローテーション時のつめ車６２Ｌの歯６２ａを押すための待機状態となる（図３（ｃ）参照）。
【００３０】
一方、この図３（ｃ）の状態から再びサービス権が回転表示板３Ｌ側に移動した際のローテーションインジケータ１の使用態様及びシフト機構６の作動態様は、図４に示す通りであり、上記図３と同様の作動態様をなすものである。すなわち概略的に説明すれば、図４（ａ）の状態で、サービス権の移った左側の回転表示板３Ｌ側にサービス権チェンジ操作部４をつまんで移動させると、図４（ｂ）に示されるように左側の回転表示板３Ｌが時計回りに回転し、９０度回転した位置で図４（ｃ）に示されるように停止するものである。またこのときサービス権表示体５もサービス権の移った左側の回転表示板３Ｌ側に移動する。このときのシフト機構６の作動態様としては、回転送りつめ６３Ｌがその先端に位置しているつめ車６２Ｌの歯６２ａを押し出し（図４（ａ）（ｂ）参照）、つめ車６２Ｌを９０度回転させた位置で停止させる（図４（ｃ）参照）。
【実施例２】
【００３１】
図５に示すものは、六人制バレー用のローテーションインジケータ１を示す第２の実施例である。このものは回転表示板３は前記実施例１のインディアカ競技用のローテーションインジケータ１と同様に円形平板状のものを二枚具えるが、回転表示板３Ｒ、３Ｌ上は米印状にポジションライン３０が記され、六つのエリアに区分されている。そしてそれぞれのエリアに前記実施例と同様に個人識別表示体３１が貼設されるものである。
一方、シフト機構６は、つめ車６２Ｒ、６２Ｌの歯６２ａの数が異なるもので、６０度ずつ位置をずらして六つの歯６２ａが周面に設けられている。
なおその他の構成についてはつめ車６２Ｒ、６２Ｌの形状変更に伴い回転送りつめ６３Ｒ、６３Ｌ及び係止つめ６４Ｒ、６４Ｌの形状等が多少異なるものの実施例１と特に変わりはない。
【００３２】
そしてこれを使用するにあたっても、前記インディアカ競技用のローテーションインジケータ１と同様であり、サービス権を得たチームのコート側にサービス権チェンジ操作部４をスライド長孔２２ａの端までスライドさせる。このとき本実施例の特徴として回転表示板３はこの一回のサービス権チェンジ操作部４の操作により６０度ずつ回転するものである。
【００３３】
次にシフト機構６の作動態様について説明すると、これも基本的に前記インディアカ競技用のローテーションインジケータ１と同様であり、サービス権チェンジ操作部４をサービス権を得たチーム側にスライドさせると、スライドさせる側に取り付けられた回転送りつめ６３Ｒ、６３Ｌがその先端に位置しているつめ車６２Ｒ、６２Ｌの歯６２ａを押し出す。そしてこのサービス権チェンジ操作部４のスライド量は、本実施例の特徴としてちょうどつめ車６２Ｒ、６２Ｌを６０度回転させるストロークに設定されているものであり、つめ車６２Ｒ、６２Ｌと同軸に取り付けられた回転表示板３も６０度回転して停止する（なおつめ車６２Ｒ、６２Ｌ及び回転表示板３の回転方向は、機器本体２の表面側から見れば時計回りで、機器本体２の裏面側から見れば時計反対回りである。）。なお６０度回転位置にちょうど係止つめ６４Ｒ、６４Ｌが位置されているものであり、係止つめ６４Ｒ、６４Ｌがこの位置にきたつめ車６２Ｒ、６２Ｌの歯６２ａを支持して保持する。なお回転送りつめ６３Ｒ、６３Ｌも６０度回転させた後は、図５（ｂ）に示されるようにつめ車６２Ｒ、６２Ｌに当接しストッパの役割を果している。
【００３４】
一方、このときのサービス権を奪われたチーム側のつめ車６２Ｒ、６２Ｌの作動態様も前記インディアカ競技用のローテーションインジケータ１と同様であり、つめ車６２Ｒ、６２Ｌは、係止つめ６４Ｒ、６４Ｌにより歯６２ａを係止された状態であり、スライダ６０とともにつめ車６２Ｒ、６２Ｌから離れる方向に移動する回転送りつめ６３Ｒ、６３Ｌは、図示されるようにつめ車６２Ｒ、６２Ｌの歯６２ａを押すことはないため、つめ車６２Ｒ、６２Ｌは回転することなく停止した状態のままである。そしてスライダ６０がいっぱいまでスライドした際には、つめ車６２Ｒ、６２Ｌから回転送りつめ６３Ｒ、６３Ｌは離れ、つめ車６２Ｒ、６２Ｌに当接してやや外側に開き加減の姿勢をとっていた回転送りつめ６３Ｒ、６３Ｌは、板ばね作用により中央寄りの位置に復元し、次のローテーション時のつめ車６２Ｒ、６２Ｌの歯６２ａを押すための待機状態となる。
【実施例３】
【００３５】
また図６に示すものは、ローテーションインジケータ１を、電子回路を具えた機器で構成した第３の実施例を示すものである。このものは、機器本体２の表面板２１に実施例１や実施例２の個人識別表示体３１に相当する液晶表示板７が各チームずつ四つ設けられ、ここに競技者Ｐの背番号等の個人識別表示がなされる。またサービス権のあるチームを表示するためのサービス権表示用の液晶表示板８がセンターラインＬ１を挟んで二つ設けられている。なお前記個人識別表示用やサービス権表示用の液晶表示板７、８に変え電光表示板を用いることも可能である。因みにこれら個人識別表示やサービス権表示は機器本体２裏面に設けられたスライドスイッチ等のサービス権チェンジ操作部（図示は省略）により行われるものである。また符号２４で示すものはローテーションインジケータ１のメインスイッチである。なお機器本体２に設けられるマイクロコンピュータには、各液晶表示板における競技者Ｐを記憶する回路と、前記サービス権チェンジ操作部が移動された側の液晶表示板に対し表示されている背番号等の個人識別表示を、ローテーション通りに時計回りにずらして表示する回路と、サービス権チェンジ操作部が移動された側のサービス権表示用の液晶表示板に「丸」等の表示を行う回路等を具えて成っている。
【００３６】
本発明に係るローテーションインジケータ１を以上のように構成した場合、図６（ａ）に示されるような状態で、サービス権チェンジ操作部をサービス権を取得したチーム（図６中右側のチーム）側に移動すれば、液晶表示板７の個人識別表示を図６（ｂ）に示すようにローテーション通りに表示する。またサービス権の移動したチーム側のサービス権表示用の液晶表示板８にも「丸」が表示され、サービス権を奪われた側のチーム側のサービス権表示用の液晶表示板８の「丸」は消える。
因みに本実施例３のようにローテーションインジケータ１を、マイクロコンピュータを用いた電子機器で構成した場合には、インディアカ競技や六人制バレーの他、複雑なポジションチェンジをする競技等のローテーションにも対応可能である。
【図面の簡単な説明】
【００３７】
【図１】インディアカ競技において本発明のローテンションインジケータを用いる実施例１を示す斜視図である。
【図２】実施例１に係るローテーションインジケータの正面図並びに背面図である。
【図３】同上、サービス権が右側のコートに移った場合の作動状態を段階的に示す正面図並びに背面図である。
【図４】同上、サービス権が左側のコートに移った場合の作動状態を段階的に示す正面図並びに背面図である。
【図５】実施例２に係るローテーションインジケータの正面図並びに背面図である。
【図６】実施例３に係るローテーションインジケータの作動状態を示す正面図である。
【符号の説明】
【００３８】
１        ローテーションインジケータ
２        機器本体
２０      枠体
２１      表面板
２１ａ    スライド長孔
２２      背面板
２２ａ    スライド長孔
２３      ネジ
２４      メインスイッチ
３        回転表示板
３Ｒ      回転表示板
３Ｌ      回転表示板
３０      ポジションライン
３１      個人識別表示体
３２      回転軸
３３      ナット
４        サービス権チェンジ操作部
５        サービス権表示体
６        シフト機構
６０      スライダ
６１      支持ロッド
６２      つめ車
６２Ｒ    つめ車
６２Ｌ    つめ車
６２ａ    歯
６３Ｒ    回転送りつめ
６３Ｌ    回転送りつめ
６４Ｒ    係止つめ
６４Ｌ    係止つめ
７        （個人識別表示用の）液晶表示板
８        （サービス権表示用の）液晶表示板
Ｂ        球
Ｊ        審判
Ｊ１      主審
Ｊ２      副審
Ｐ        競技者
Ｌ        ライン
Ｌ１      センターライン
Ｌ２      サイドライン
Ｌ３      エンドライン
Ｎ        ネット
【図１】
2005143996.tif 000003
【図２】
2005143996.tif 000004
【図３】
2005143996.tif 000005
【図４】
2005143996.tif 000006
【図５】
2005143996.tif 000007
【図６】
2005143996.tif 000008